(57)【要約】【課題】剥離された偏光板などの粘着フィルムを容易に回収することができる粘着フィルム剥離方法を提供すること。【解決手段】被接着体に貼り付けられている粘着フィルム等を剥離する粘着フィルム剥離方法であって、被接着体の接着面一隅角部の粘着フィルムを引き剥がし、その引き剥がされた部分から粘着フィルムを巻き取りローラーが所定回転数巻き取り、巻き取った後この巻き取りローラーを剥離方向に移動させながら粘着フィルムを引っ張って剥離する。【選択図】図２
2006299064.tif 000002
【特許請求の範囲】
【請求項１】
被接着体に貼り付けられている粘着フィルム等を剥離する粘着フィルム剥離方法であって、前記被接着体の接着面一隅角部の前記粘着フィルムを引き剥がし、その引き剥がされた部分から前記粘着フィルムを巻き取りローラーが所定回転数巻き取り、巻き取った後この巻き取りローラーを剥離方向に移動させながら前記粘着フィルムを引っ張って剥離することを特徴とする粘着フィルム剥離方法。
【請求項２】
被接着体に貼り付けられている粘着フィルム等を剥離する粘着フィルム剥離装置であって、前記被接着体の接着面一隅角部の前記粘着フィルムを引き剥がし、その引き剥がされた部分から前記粘着フィルムを所定回転数巻き取る巻き取りローラーと、巻き取った後この巻き取りローラーを剥離方向に移動させながら前記粘着フィルムを引っ張って剥離する剥離手段とを備えてなることを特徴とする粘着フィルム剥離装置。
【発明の詳細な説明】
【技術分野】
【０００１】
本発明は、被接着体に貼り付けられている粘着フィルムの剥離に関し、特に液晶パネル上に貼り付けられた偏光板の剥離に関するものである。
【背景技術】
【０００２】
液晶パネルは２枚のガラスを貼り合わせてその間に液晶を封止したものであり、通常表面と裏面には偏光板が接着剤により貼り付けられている。この液晶パネルの外観検査や点灯検査等により貼り付けられた偏光板に傷や汚れなどの不良が発見されると、貼り直すために偏光板を剥離することが行われている。図４は従来用いられてきた、被接着体である液晶パネル１０の表面に貼り付けられている粘着フィルムである偏光板１１を剥離する粘着フィルム剥離装置２０の概略構成と剥離の手順を示している。
【０００３】
図示される粘着フィルム剥離装置２０のパネルセットステージ２１には、モータ等の駆動手段を備えない搬送ローラー２２が搬送方向に並んで複数設けられている。パネルセットステージ２１の中央部には、搬送ローラー２２が設けられていない開口部２１ａが形成されており、この開口部２１ａには同じく駆動手段を備えない２本のガイドローラー２３ａ，２３ｂが設けれている。また、このガイドローラー２３ａ，２３ｂの下位置には、図示しない駆動モータにより回転駆動される円筒状の巻き取りローラー２４が設けられている。
【０００４】
先ず、液晶パネル１０の接着面一隅角部から偏光板１１を引き剥がし、その引き剥がし部１１ａに粘着テープ１２を貼り付け、図４（ａ）に示されるように、剥離する偏光板１１がある面を下にして液晶パネル１０をパネルカセットステージ２１に載せる。このとき、粘着テープ１２が貼り付けられた引き剥がし部１１ａが、開口部２１ａのガイドローラー２３ａ，２３ｂ間に臨むように載せる。そして、引き剥がし部１１ａは、ガイドローラー２３ａ，２３ｂ間を通って、粘着テープ１２により巻き取りローラ２４に固定される。左のガイドローラー２３ａを右のガイドローラー２３ｂ側にスライドさせると、ガイドローラ２３ａ，２３ｂの間に偏光板１１は挟み込まれる。
【０００５】
そして、巻き取りローラー２４を回転駆動させると、図４（ｂ）〜図４（ｄ）に示されるように、偏光板１１が巻き取りローラー２４に順次巻き取られていくにつれて、液晶パネル１０は搬送ローラ２２上を左に移動される。そして、図４（ｅ）に示されるように、巻き取りが終わると、巻き取りローラー２４の回転駆動を止め、図５（ａ）〜図５（ｃ）に示すように作業者が開口部２１ａから手を入れて、偏光板１１の終端部１１ｂを引っ張っることで、巻き取りローラー２４から偏光板１１が回収される。
【０００６】
【特許文献１】特開平９−１６９４６１号
【発明の開示】
【発明が解決しようとする課題】
【０００７】
しかしながら、剥離された偏光板１１には、液晶パネル１０に貼り付ける際に用いられた接着剤が剥離された面に残っているため、巻き取りローラー２４に何重にも巻き取られた偏光板１１同士が貼り付いてしまっており、作業者は強く引っ張っることで偏光板１１を回収していたが、強く引っ張るため偏光板１１が破れてしまって回収に手間取るという不具合があった。近年、液晶テレビなどに用いられる液晶表示装置の大画面化に伴い、偏光板のサイズも大きくなってきているため、このような不具合が顕著になってきている。
【０００８】
そこで、本発明が解決しようとする課題は、剥離された偏光板などの粘着フィルムを容易に回収することができる粘着フィルム剥離方法及び装置を提供することである。
【課題を解決するための手段】
【０００９】
上記課題を解決するため、本発明に係る粘着フィルム剥離方法は、被接着体に貼り付けられている粘着フィルム等を剥離する粘着フィルム剥離方法であって、前記被接着体の接着面一隅角部の前記粘着フィルムを引き剥がし、その引き剥がされた部分から前記粘着フィルムを巻き取りローラーが所定回転数巻き取り、巻き取った後この巻き取りローラーを剥離方向に移動させながら前記粘着フィルムを引っ張って剥離することを要旨とするものである。
【００１０】
また、本発明に係る粘着フィルム剥離装置は、被接着体に貼り付けられている粘着フィルム等を剥離する粘着フィルム剥離装置であって、前記被接着体の接着面一隅角部の前記粘着フィルムを引き剥がし、その引き剥がされた部分から前記粘着フィルムを所定回転数巻き取る巻き取りローラーと、巻き取った後この巻き取りローラーを剥離方向に移動させながら前記粘着フィルムを引っ張って剥離する剥離手段とを備えてなることを要旨とするものである。
【発明の効果】
【００１１】
上記構成を有する粘着フィルム剥離方法及び装置によれば、被接着体の接着面一隅角部の粘着フィルムを引き剥がし、その引き剥がされた部分から粘着フィルムを巻き取りローラーが所定回転数巻き取り、巻き取った後この巻き取りローラーを剥離方向に移動させながら粘着フィルムを引っ張って剥離するので、上述した従来技術のような巻取りローラーが粘着フィルム全面を巻き取る構成とは異なり、本発明の巻き取りローラーは、引っ張って剥離する際に巻き取りローラーから粘着フィルムが外れないように所定回転数巻き取るだけの構成である。つまり粘着フィルムの最初の一部を巻き取って、後は引っ張って剥離する構成なので、従来技術のように巻き取りローラーに何重にも巻き取られた粘着フィルム同士が貼り付いてしまうということが防止される。これにより回収の際に粘着フィルムを強く引っ張る必要がなくなり、フィルムが破れてしまって回収に手間取るという不具合が解消される。
【発明を実施するための最良の形態】
【００１２】
以下に、本発明に係る粘着フィルム剥離装置の実施の形態ついて、図面を参照して詳細に説明する。図１は被接着体として例えば液晶パネルの表面に貼り付けられている粘着フィルム、即ち偏光板を剥離する粘着フィルム剥離装置の概略構成を示した図である。図２は被接着体である液晶パネルから粘着フィルムである偏光板を剥離する手順を示した図である。図３は剥離された粘着フィルムである偏光板を作業者が回収する手順を示した図である。
【００１３】
図１及び図２（ａ）示されるように、粘着フィルム剥離装置１のパネルセットステージ２には、モータ等の駆動手段を備えない搬送ローラー３が搬送方向に並んで複数設けられている。パネルセットステージ２の中央部には、搬送ローラー３が設けられていない開口部２ａが形成されており、この開口部２ａには同じく駆動手段を備えない２本の第１ガイドローラー４ａ，４ｂが設けれている。また、この第１ガイドローラー４ａ，４ｂの下位置には、第２ガイドローラー５ａ，５ｂが設けられている。
【００１４】
更に、この第２ガイドローラー５ａ，５ｂの下位置には、円筒状の巻き取りローラー６が設けられており、駆動モータ７によって回転駆動される。この巻取りローラー６と駆動モータ７は、送りねじ機構８により、水平にパネルセットステージ２の下側のフィルム剥離領域９を往復動されるようになっている。送りねじ機構８は、巻き取りローラー６の駆動モータ７が固定されている送りステージ８ａと、この送りステージ８ａに螺合する送りねじ８ｂと、この送りねじ８ｂを駆動する駆動モータ８ｃを備えている。
【００１５】
次に、このような構成の粘着フィルム剥離装置１を用いて、被接着体である液晶パネル１０から粘着フィルムである偏光板１１を剥離する手順を、図２を参照して説明する。先ず、液晶パネル１０の接着面一隅角部から偏光板１１を引き剥がし、その引き剥がし部１１ａに粘着テープ１２を貼り付ける。そして、剥離する偏光板１１がある面を下にして液晶パネル１０をパネルカセットステージ２に載せる。このとき、粘着テープ１２が貼り付けられた引き剥がし部１１ａが、開口部２ａの第１ガイドローラー４ａ，４ｂ間に臨むように載せる。
【００１６】
引き剥がし部１１ａは、第１ガイドローラー４ａ，４ｂ間及び第２ガイドローラー５ａ，５ｂ間を通って、粘着テープ１２により巻き取りローラ６に固定される。左の第１ガイドローラー４ａを右の第１ガイドローラー４ｂ側にスライドさせると、偏光板１１が挟み込まれる。
【００１７】
次に、図２（ｂ）に示されるように、駆動モータ７により巻き取りローラー６を例えば１〜２回転させて、偏光板１１を引き剥がし部１１ａから巻き取りローラー６に巻き取らせる。この巻き取り回転数は、後に偏光板１１を引っ張って剥離する際に巻き取りローラー６から偏光板１１が容易に外れないように設定される。所定回転数巻き取ったら、駆動モータ７により巻き取りローラー１１の回転は図示しないロック手段によりロックされて回転不能にされ、左の第２ガイドローラー５ａを右の第２ガイドローラー５ｂ側にスライドさせると、偏光板１１が挟み込まれる（図２（ｃ）参照）。
【００１８】
そして、上述した送りねじ機構８により、巻き取りローラー１１が水平にパネルセットステージ２の下側のフィルム剥離領域９を右側される移動されると、図２（ｄ）〜図２（ｅ）に示すように、偏光板１１は引っ張られて剥離される。このとき偏光板１１が、水平移動する巻き取りローラー６によって順次引っ張られて剥離されていくにつれて、液晶パネル１０は搬送ローラ３上を左に移動される。そして、図２（ｆ）に示すように、引っ張りによる剥離が終わると、送りねじ機構８による巻き取りローラー６の移動は止められる。このとき、剥離された偏光板１１の終端部１１ｂは、第２ガイドローラー５ａ，５ｂ位置にある状態で止められる。
【００１９】
そして、図３（ａ）に示すように、作業者は第１ガイドローラー４ａをスライドさせて、開口部２ａから手を入れて、偏光板１１の終端部１１ｂを掴んで引っ張ることで偏光板は回収される。このとき図３（ｂ）に示すように、送りねじ機構８により巻き取りローラー６は剥離方向とは反対側に移動させられる。そして、図３（ｃ）〜図３（ｄ）に示すように、巻き取りローラー１１が剥離開始位置まで移動すると、巻き取りローラー６に巻き取られていた部分が外れて、偏光板１１は回収される。
【００２０】
このような構成の粘着フィルム剥離装置１によれば、偏光板１１の最初の一部を巻き取って、後は引っ張って剥離する構成なので、従来技術のように巻き取りローラーに何重にも巻き取られた偏光板１１同士が貼り付いてしまって強く引っ張らないと回収できないということが防止される。これにより偏光板が破れてしまって回収に手間取るという不具合が解消される。
【００２１】
以上、本発明の一実施形態について説明したが、本発明はこうした実施形態に何ら限定されるものではなく、本発明の要旨を逸脱しない範囲において、種々なる態様で実施できることは勿論である。例えば、巻き取りローラー６の往復動の手段として送りねじ機構８を用いた構成を示したが、このような往復動の手段としては種々なるものが適用できるのはいうまでもなく、上記実施の形態には限定されない。
【図面の簡単な説明】
【００２２】
【図１】本発明の一実施形態に係る粘着フィルム剥離装置の概略構成を示した図である。
【図２】図１に示した粘着フィルム剥離装置が粘着フィルムを剥離する手順を示した図である。
【図３】図１に示した粘着フィルム剥離装置から剥離された粘着フィルムを回収する手順を示した図である。
【図４】従来用いられてきた粘着フィルム剥離装置が粘着フィルムを剥離する手順を示した図である。
【図５】図４に示した粘着フィルム剥離装置から剥離された粘着フィルムを回収する手順を示した図である。
【符号の説明】
【００２３】
１  粘着フィルム剥離装置
２  パネルセットステージ
２ａ  開口部
３  搬送ローラー
４ａ，４ｂ  第１ガイドローラー
５ａ，５ｂ  第２ガイドローラー
６  巻き取りローラー
７  駆動モータ
８  送りねじ機構
８ａ  送りステージ
８ｂ  送りねじ
８ｃ  駆動モータ
９  フィルム剥離領域
１０  液晶パネル（被接着体）
１１  偏光板（粘着フィルム）
１１ａ  引き剥がし部
１１ｂ  終端部
１２  粘着テープ
【図１】
2006299064.tif 000003
【図２】
2006299064.tif 000004
【図３】
2006299064.tif 000005
【図４】
2006299064.tif 000006
【図５】
2006299064.tif 000007